(57)【特許請求の範囲】
【請求項１】
帽子のひさしの左右両側を着脱可能に挟むクリップ部に帽子の外側を囲む上面支持板が設置され、前記上面支持板の外側にひさし網が下側に垂れるように設置され、前記クリップ部の先端部にひさし網の両側前方を支持する支持骨がヒンジ式で設置された日よけであって、
前記クリップ部は断面がコ字型に形成され、ひさしが出入りする前記クリップ部の上下面クリップ板の入口に前記ひさしを噛む突起がそれぞれ上下に突出するように形成され、前記クリップ部の外側と後方に前記上面支持板が一体に形成されて、
前記クリップ部の先端部の上面にヒンジピン部が突出され、両側支持骨の先端部に前記ヒンジピン部がヒンジ式に挿入されるヒンジ穴が形成され、前記クリップ部と前記支持骨がヒンジ結合される部分に前記支持骨をクリック式で角度を変えて留めることができる係止手段が具備されて、
前記一側支持骨の下端部には差し込まれ部が形成され、他側支持骨の下端部には前記差し込まれ部に挿脱可能な差込部が形成され、前記差込部には凹凸部が形成されていることを特徴とする帽子用の着脱式日よけ。
【請求項２】
前記上面支持板は左右分離して形成され、両側上面支持板の後方に後方支持板が連結され、ひさし網が両側支持骨と両側上面支持板の外周と後方支持板の後方を囲むように設置されることを特徴とする請求項１に記載の帽子用の着脱式日よけ。
【請求項３】
前記クリップ部は上面クリップ板の前後方端部が下面クリップ板の前後方端部より長く形成されることを特徴とする請求項１または２に記載の帽子用の着脱式日よけ。
【請求項４】
前記係止手段は、前記クリップ部の上面に突出して形成された係止突起と、両側支持骨のヒンジ穴の外側に前記係止突起に係合するように突出して形成された係止部とからなることを特徴とする請求項３に記載の帽子用の着脱式日よけ。
【請求項５】
前記係止手段は、前記クリップ部の前記ヒンジピン部の外側同心円上に間隔を置いて形成された多数個の係止穴と、両側支持骨のヒンジ穴の外側に前記係止穴に係合するように形成された円形突起とからなることを特徴とする請求項３に記載の帽子用の着脱式日よけ。
【請求項６】
前記両側上面支持板が上側に傾くように折り曲げられることを特徴とする請求項３に記載の帽子用の着脱式日よけ。
【請求項７】
前記両側クリップ部の間の前方に、クリップ部が後方に滑らないようにする連結帯が設けられ、両側クリップ部に突出されたヒンジピン部に両端が差込式で設置されることを特徴とする請求項３に記載の帽子用の着脱式日よけ。
【発明の詳細な説明】
【技術分野】
【０００１】
本発明は帽子用の日よけに関する。より詳細には、ひさし網が設置される上面支持板とひさしを挟むクリップ部を一体型で形成し、ひさし網の前部を支持する両側支持骨の先端部とクリップ部が連結される部分に係止手段を具備することで、帽子に着脱可能に取り付けて日の光や害虫を阻むことができるようにした。
【背景技術】
【０００２】
本出願人は、帽子のひさしにひさし網を着脱可能に取り付ける「ひさし付着具」を特許出願して登録されている。本出願人の特許登録された韓国特許登録第４７１６６８号（発明の名称：帽子のつばから着脱可能なひさし付着具）は、ひさしが付いた一般的な帽子に、ひさし網が設置された「ひさし付着具」を着脱式で装着して、帽子にひさし付着具を付けて使用することも、ひさし付着具を脱去して単に帽子として使用することもできる。同時に、分離した「ひさし付着具」は、折って簡便に保管することができる。この「ひさし付着具」には必要に応じてサングラスとフラッシュを着脱式で装着することができる。つまり、「ひさし付着具」を取り付けた帽子に、使用者が望むなら、サングラスとフラッシュを選択的に取り付けて使用することができる。
【０００３】
この特許によれば、一般的な帽子に「ひさし付着具」を取り付けて、ひさし網で日の光を遮るか、または夜間に蚊等の害虫から人体を保護するようにできる。一般的な帽子としてのみに使用する場合には、「ひさし付着具」を取り外した後に、折って体積を小さくして保管が容易にすることができる。帽子に、サングラス及びフラッシュを簡単に取り付けて、多用に使用することもできるとの効果がある。
【０００４】
しかし、「ひさし付着具」にサングラスとフラッシュを着脱可能に装着することは使用頻度が少なく、必ずしも必要とされない。一方、サングラスとフラッシュを設置するための構造は複雑であり、価格が大幅に上昇するとの問題があった。
【０００５】
また、ひさし網を設置する胴体板（本願では上面支持板と呼ぶ）と、「ひさし付着具」をひさしに設置するためにひさしを挟む左右側の差込口（本願ではクリップ部と呼ぶ）が、それぞれ別々に形成され組み立てられる。そのため、胴体板と、左右側の差込口と、ひさし網の前部に設置される両側支持骨が、差込突起と差込穴によって結合されるように形成されるため、製品を製作するのに必要な金型が複雑になると同時に金型数も増加する。また、製品の外観に美麗さがなく、原価も上昇するとの問題を有していた。
【０００６】
さらに、ひさし網の前部を支持する両側支持骨が、胴体板の先端部に組み立てられ、差込穴と差込突起によるヒンジ式結合となっているが、顔の前方を遮るひさし網を後方に反らそうとする場合、支持骨の先端部が胴体板にヒンジ式で結合されているだけなので係止手段がなく、反らされた位置で固定できず、ひさし網が再び下がって来るので、使い勝手がよくないとの問題があった。
【特許文献１】韓国特許登録第４７１６６８号
【発明の開示】
【発明が解決しようとする課題】
【０００７】
本発明の目的は、前記の問題点を解決するためのものであり、構造が簡単で、製作費用が安く、製品の外観が美麗で、使い勝手を向上させた帽子用の着脱式日よけを提供することにある。
【課題を解決するための手段】
【０００８】
本発明による帽子用の着脱式日よけは、帽子のひさしの左右両側を着脱可能に挟むクリップ部に帽子の外側を囲む上面支持板が設置され、前記上面支持板の外側にひさし網が下側に垂れるように設置され、前記クリップ部の先端部にひさし網の両側前方を支持する支持骨がヒンジ式で設置された日よけであって、前記クリップ部は断面がコ字型に形成され、ひさしが出入りする前記クリップ部の上下面クリップ板の入口に前記ひさしを噛む突起がそれぞれ上下に突出するように形成され、前記クリップ部の外側と後方に前記上面支持板が一体に形成されて、前記クリップ部の先端部の上面にヒンジピン部が突出され、両側支持骨の先端部に前記ヒンジピン部がヒンジ式に挿入されるヒンジ穴が形成され、前記クリップ部と前記支持骨がヒンジ結合される部分に前記支持骨をクリック式で角度を変えて留めることができる係止手段が具備されて、前記一側支持骨の下端部には差し込まれ部が形成され、他側支持骨の下端部には前記差し込まれ部に挿脱可能な差込部が形成され、前記差込部には凹凸部が形成されていることを特徴とする。
【０００９】
前記上面支持板は左右分離して形成され、両側上面支持板の後方に後方支持板が連結され、ひさし網が両側支持骨と両側上面支持板の外周と後方支持板の後方を囲むように設置されることが好ましい。
【００１０】
前記クリップ部は上面クリップ板の前後方端部が下面クリップ板の前後方端部より長く形成されることが好ましい。
【００１１】
前記係止手段は、前記クリップ部の上面に突出して形成された係止突起と、両側支持骨のヒンジ穴の外側に前記係止突起に係合するように突出して形成された係止部とからなることが好ましい。
【００１２】
前記係止手段は、前記クリップ部の前記ヒンジピン部の外側同心円上に間隔を置いて形成された多数個の係止穴と、両側支持骨のヒンジ穴の外側に前記係止穴に係合するように形成された円形突起とからなることが好ましい。
【００１４】
前記両側上面支持板が上側に傾くように折り曲げられることが好ましい。
【００１５】
前記両側クリップ部の間の前方に、クリップ部が後方に滑らないようにする連結帯が設けられ、両側クリップ部に突出されたヒンジピン部に両端が差込式で設置されることが好ましい。
【発明の効果】
【００１６】
本発明による帽子用の着脱式日よけによれば、ひさし網が設置される上面支持板とひさしを挟むクリップ部を一体型で形成し、また、ひさし網の前部を支持する両側支持骨の先端部とクリップ部が連結される部分に係止手段を具備したから、帽子に簡単に着脱でき、ひさし網による日の光と害虫を阻むことができ、構造が簡単で製作費用が安く、外観が美麗となって製品の商品性が向上し、係止手段により、ひさし網を後方に反らして留められるから使い勝手が向上するとの効果がある。
【発明を実施するための最良の形態】
【００１７】
以下、本発明による帽子用の着脱式日よけに対して添付された図面を参照して説明する。
【実施例１】
【００１８】
実施例１を図１〜図８に示す。本発明による帽子用の着脱式日よけは、図２に示すように、帽子１９のひさし２０の両側を着脱可能に挟むクリップ部４に、帽子１９の外側を囲む上面支持板５が設置され、この上面支持板５の外側にひさし網１６が下側に垂れるように設置され、両側クリップ部４の先端部にはひさし網１６の両側前方を支持する支持骨９、９ａがヒンジ式で設置されたものである。
【００１９】
図１〜図５に示すように、クリップ部４は、断面がコ字型に形成される。ひさしが出入りするクリップ部４の上下面クリップ板２、３の入口には、ひさしを噛む突起１がそれぞれ突出するように形成される。クリップ部４の外側と後方には、薄い板状の上面支持板５が一体に形成される。
【００２０】
上面支持板５は、薄い合成樹脂材で形成されるため、ひさし網１６を裁縫で結合設置することができる。上面支持板５は、図３の一点鎖線"ａ"で示すように、上側に傾くように折り曲げて、上面支持板５に設置されるひさし網１６が顔の両側から遠くなるようにできる。クリップ部４の先端部の上面にはヒンジピン部６が突出している。両側支持骨９、９ａの先端部にはヒンジ穴１０が形成される。そして、ヒンジピン部６に支持骨９、９ａの先端部がヒンジ式で挿入される。加えて、クリップ部４と支持骨９、９ａがヒンジ結合された部分に、支持骨９、９ａをクリック式で角度を変えて留めることができる係止手段が具備される。
【００２１】
前記係止手段は、図１及び図６に示すような係止手段（構成例１）と、図７に示すような係止手段（構成例２）がある。図１及び図６に示すように、係止手段（構成例１）は、ヒンジピン部６が突出されるように形成されたクリップ部４の上面に係止突起７が形成され、両側支持骨９、９ａのヒンジ穴１０の外側に突出した係止部１７が形成されたものである。係止部１７を係止突起７に挟むようにして係合させる。これにより、両側支持骨９、９ａをクリップ部４に、取り付け角度を変えて留めることができる。図７に示すように、係止手段（構成例２）は、クリップ部４の上面に突出されたヒンジピン部６の、外側同心円上のクリップ部４の上面に、多数個の係止穴８が間隔を置いて形成され、両側支持骨９、９ａのヒンジ穴１０の外側に係止穴８に係合する円形突起１１が形成されたものである。ヒンジピン部６をどの係止穴８に挿入するかで、両側支持骨９、９ａの取り付け角度を変えることができる。
【００２２】
そして、一側支持骨９の下端部には差し込まれ部１２が形成される。他側支持骨９ａの下端部には凹凸部１３を形成した差込部１４が、差し込まれ部１２に挿脱可能に形成される。両側支持骨９、９ａは、軟質の合成樹脂材で薄い紐の形態で形成され、ひさし網１６の前方部分は裁縫で結合設置することができる。
【００２３】
クリップ部４は、図１及び図８に示すように、上面クリップ板２の前後方の端部が、下面クリップ板３の前後方の端部より長く形成される。クリップ部４の上下面クリップ板２、３間でひさしを挟む時、前後方端部の長さが長い上面クリップ板２と、前後方端部の長さが短い下面クリップ板３の間にひさしを容易に挟むことができる。ひさし網１６の後方上側には、図１に示すように、帽子及び安全帽の後方端部に係合する後方掛け具１８が設置される。後方掛け具１８の両側の上面支持板５との間でひさし網１６の上部には、ゴム紐が設けられる。着脱式日よけ２２を帽子や安全帽に取り付けた場合、ゴム紐の弾力によって着脱式日よけが、帽子及び安全帽にぴったり合うように装着することができる。
【００２４】
本発明において、図４は着脱式日よけ２２が、ひさしの付いた帽子１９に取り付けられたことを示す。図５は着脱式日よけ２２が、各種産業現場で着用する安全帽２１に取り付けられたことを示すものであり、安全帽に着脱式日よけ２２を取り付ける場合には、安全帽２１のわく部２３を挟むクリップ部４が後方に滑らないように、連結帯２４が、両側クリップ部４に突出されたヒンジピン部６に両端が差込式で取り付けられることが望ましい。本発明の着脱式日よけは、図面に示した帽子と安全帽は勿論、図面に示さなかった室内着用の帽子を除く各種帽子類に適用することができる。
【実施例２】
【００２５】
図９は、本発明による実施例２の帽子用の着脱式日よけ２２である。実施例１では、上面支持板５は左右で分離して形成されているが、実施例２は左右で分離した両側上面支持板５の後方に後方支持板１５が連結される。この後方支持板１５が連結された着脱式日よけ２２の外側全体にひさし網１６が設置されたことのみが異なる。他は実施例１と同一の構造につき説明を省略する。
【００２６】
次に、図１〜図９を参照して着脱式日よけ２２の組み立て及び取り付け関係を説明する。図５に示すように、着脱式日よけ２２を帽子１９や安全帽２１に取り付ける場合、両側クリップ部４を帽子１９のひさし２０の外側、あるいは、安全帽２１の前方両側下端部の外側に折り曲げた部分に挟む。帽子のひさしにクリップ部４を挟む時、クリップ部４は、断面がコ字型になるように合成樹脂材で射出成形され、それ自体の弾力で上下面クリップ板２、３の先端部がせばめられているため、クリップ部４をひさしに挟みにくい状態にある。
【００２７】
そこで、クリップ部４は、図１と図８に示すように、上面クリップ板２の長さが、下面クリップ板３の長さより長く形成されている。このため、上下面クリップ板２、３の長さに差がある分だけ、上面クリップ板２の前後方端部は下面クリップ板３の前後方端部より露出した状態になる。このように、上面クリップ板２の露出した部分と長さが短い下面クリップ板３の端部との間にひさしを接触させ、クリップ部４をひさし２０側で押し込めば、上下面クリップ板２、３が開きながら断面がコ字型に形成されたクリップ部４で、ひさしの外側を挟むことができる。
【００２８】
前記のように、ひさしをクリップ部４で挟むと、クリップ部４は合成樹脂材で射出成形して自体の弾力を有しているおり、加えて、上下面クリップ板２、３の先端入口部分に突起１がそれぞれ突出されるように形成されている。そのため、自体の弾力を有したクリップ部４の入口の突起１がひさしを歯でかんでいる形態となり、一度挿入されたひさしとクリップ部４は簡単には抜けなくなる。
【００２９】
このように、両側クリップ部４でひさしの両側を挟むようすると、このクリップ部４の外側と後方側に上面支持板５が一体で形成されて、上面支持板５の外側にひさし網１６の上部が裁縫で結合されている。これにより、ひさし網１６が帽子の前方を除いた両側と後方を囲むようにできる。この状態で、図１を参照すると、ひさし網１６の後方側上部に後方掛け具１８が、帽子の後方下側端部を挟み込むので、ひさし網１６の後方を帽子の後方端部に結合できる。このようにして、着脱式日よけ２２が帽子に取り付けられると、上面支持板５が所定の幅を有してその外側にひさし網１６が設置される。そのため、帽子を着用した場合、下側に垂れるひさし網１６が顔に触れないようにできる。
【００３０】
図３に示すように、一点鎖線"ａ"は、薄い合成樹脂材で形成された上面支持板５が上側に折り曲げたことを示している。帽子のひさしは、図３に示すように、下側に丸く湾曲された状態にあるから、このような湾曲されたひさしをクリップ部４で挟むと、クリップ部４に一体に形成された上面支持板５の外側のひさし網１６が顔に触れる。これを勘案して、上面支持板５を上側に折り曲げたものであり、上面支持板５を上側に折り曲げることによって、図３の仮想線で示すように、ひさし網１６が、外側に開かれて着用者の顔に触れないようにできる。
【００３１】
着脱式日よけ２２が取り付けられた帽子を着用している時、さらに顔の前方を遮りたい場合には、図２に示すように両側支持骨９、９ａを内側に回転させて、両側支持骨９、９ａをヒンジピン部６の中心に接近させ、一側支持骨９の下側に形成された差し込まれ部１２に他側支持骨９ａの差込部１４を挟む。これにより、両側支持骨９、９ａの下端部が結合されて、図４に示すように顔の前方に小さな空間だけを開くようにできる。残りの周囲が日の光と蚊等の害虫を阻むようにできる。
【００３２】
差込部１４は、図１に示すように、凹凸部１３が形成されて差し込まれ部１２に挟まれた差込部１４が容易に離脱せず、両側支持骨９、９ａをつないだ状態で保持することができる。このように、両側支持骨９、９ａが結合されて着脱式日よけ２２を使用中に、両側支持骨９、９ａをはずす場合には、差し込まれ部１２から差込部１４を抜き取り、クリップ部４上のヒンジピン部６にヒンジ式で結合された両側支持骨９、９ａを外側に開くように動かせばよい。
【００３３】
この時、クリップ部４と支持骨９、９ａがヒンジ結合された部分には係止手段が具備されるので、支持骨９、９ａをクリック式で角度を変えて留めることができる。両側支持骨９、９ａを、狭められた状態や開かれた状態に維持することができる。図１及び図６に示すような係止手段（構成例１）の場合は、支持骨９、９ａのヒンジ穴１０の両側に突出されるように形成された２個の係止部１７が、クリップ部４の上面に突出して形成された１字形の係止突起７の両側に、対角線方向に係合させることができ、図６（Ａ）、（Ｂ）に示すように、支持骨９、９ａを移動させた位置に固守することができる。
【００３４】
また、図７に示すように、支持骨９、９ａとクリップ部４との間に具備される係止手段（構成例２）は、ヒンジピン部６が突出されるように形成されたクリップ部４の上面に、多数個の係止穴８が形成されており、両側支持骨９、９ａのヒンジ穴１０の外側に、係止穴８に挿入される円形突起１１が形成されている。両側支持骨９、９ａが固守される場合、クリップ部４に形成された係止穴８に、支持骨９、９ａのヒンジ穴１０の外側に形成された円形突起１１が、クリック式で係合されることのより達成される。そして、支持骨９、９ａを移動させた後に停止させた位置に固守し揺れないようにできる。
【００３５】
図９に示すように、実施例２は、両側上面支持板５の後方の間に所定の幅を有する後方支持板１５がさらに設置されたものである。後方支持板１５の外周縁にひさし網１６の先端部が裁縫で固定される。着脱式日よけ２２を着用した頭の後方側のひさし網１６が、後頭部と十分な間隔を置いて設置でき、息苦しさを無くすことができる。
【００３６】
本発明において、ひさし網は、日の光と蚊等の害虫を阻むことができ、通風が可能な網紗で製作することが望ましい。しかし、必ずしも網紗を使わなければならないのではなく、不織布や各種織物で製作してもよい。安全帽では、ひさし網が、作業者が汗を流して汗をぬぐうことができるように、吸湿性の良好なタオルで製作されても良い。なお、符号２５は裁縫線であり、符号２６はゴム紐が裁縫された伸縮バンド部を示す。
【００３７】
以上で、本発明の実施例を詳細に説明したが、本発明はこの実施例に限定されず、本発明の技術範囲を逸脱しない範囲での修正または変更が含まれる。
【図面の簡単な説明】
【００３８】
【図１】本発明による帽子用の着脱式日よけの分解斜視図である。（実施例１）
【図２】図１の着脱式日よけを帽子に取り付けた状態を示す平面図である。
【図３】図２のＡ−Ａ線断面図である。
【図４】本発明による帽子用の着脱式日よけが帽子に取り付けられた状態を示す正面図である。
【図５】本発明による帽子用の着脱式日よけが安全帽に取り付けられた状態を示す正面図である。
【図６】係止手段の詳細図（構成例１）である。（Ａ）、（Ｂ）は、図２に示す"Ｂ"部の２つの取り付け状態を示す図である。
【図７】係止手段の詳細図（構成例２）である。図２に示す"Ｂ"部の部分分解斜視図である。
【図８】本発明の上面支持板の底面図である。
【図９】本発明による帽子用の着脱式日よけが帽子に設置された状態を示す平面図である。（実施例２）
【符号の説明】
【００３９】
１    突起
２    上面クリップ板
３    下面クリップ板
４    クリップ部
５    上面支持板
６    ヒンジピン部
７    係止突起
８    係止穴
９、９ａ    支持骨
１０    ヒンジ穴
１１    円形突起
１２    差し込まれ部
１３    凹凸部
１４    差込部
１５    後方支持板
１６    ひさし網
１７    係止部
１８    後方掛け具
１９    帽子
２０    ひさし
２１    安全帽
２２    着脱式日よけ
２３    わく部
２４    連結帯
【図１】
0004552216.tif 000002
【図２】
0004552216.tif 000003
【図３】
0004552216.tif 000004
【図４】
0004552216.tif 000005
【図５】
0004552216.tif 000006
【図６】
0004552216.tif 000007
【図７】
0004552216.tif 000008
【図８】
0004552216.tif 000009
【図９】
0004552216.tif 000010